(57)【要約】【課題】１台の画像印刷装置において複数の印刷媒体を許容し、且つ、それぞれの印刷媒体毎に許容可能な印刷条件が異なる場合においても印刷媒体毎に好適な印刷条件に変換することが可能な印刷パラメータ変換方法を提供すること。【解決手段】本発明に係る画像印刷パラメータ変換方法は、外部装置に接続され、該外部装置から画像情報と印刷条件を受け取って印刷を実行する印刷装置で認識可能な印刷条件の範囲を保持する印刷許容条件情報を保持すると共に印刷条件を前記印刷装置で印刷可能な印刷条件に変換するための印刷条件変換情報を複数保持し、外部装置から受け取った印刷条件を前記印刷条件変換情報を基に変換すると共に、変換後の印刷条件が前記印刷装置で認識可能な印刷条件の範囲外の場合に認識可能な印刷条件に変換する。【選択図】図４
2006346973.tif 000002
【特許請求の範囲】
【請求項１】
外部装置に接続され、該外部装置から画像情報と印刷条件を受け取って印刷を実行する印刷装置で認識可能な印刷条件の範囲を保持する印刷許容条件情報を保持すると共に印刷条件を前記印刷装置で印刷可能な印刷条件に変換するための印刷条件変換情報を複数保持し、外部装置から受け取った印刷条件を前記印刷条件変換情報を基に変換すると共に、変換後の印刷条件が前記印刷装置で認識可能な印刷条件の範囲外の場合に認識可能な印刷条件に変換することを特徴とする印刷パラメータ変換方法。
【請求項２】
前記印刷条件を前記印刷装置で印刷可能な印刷条件に変換するための印刷条件変換情報は、印刷装置で印刷可能な媒体の種類毎に保持することを特徴とする請求項１記載の印刷パラメータ変換方法。
【請求項３】
前記画像情報と印刷条件はＤＩＣＯＭ規格に則ったものであることを特徴とする請求項１記載の印刷パラメータ変換方法。
【発明の詳細な説明】
【技術分野】
【０００１】
本発明は、画像を印刷用紙上に印刷する際の画像印刷パラメータを変換するための印刷パラメータ変換方法に関する。
【背景技術】
【０００２】
従来、医療分野において放射線画像撮影装置、超音波画像診断装置（以下、「画像撮影装置」と称す）等の画像撮影装置により撮影された画像情報を画像印刷装置により印刷を行う場合に、前記画像撮影装置と画像印刷装置をＬＡＮ等のネットワークで接続し、DICOM （Digital Imaging and COmmunication in Medicine ）規格に基づいて情報の送受信を行い、画像を印刷するということが行われている。
【０００３】
DICOM
規格においては、前記複数の画像撮影装置から画像を印刷する撮影装置を識別する情報と画像を印刷する装置を識別する情報、印刷対象となる画像のサイズ、種類、印刷メディア種類、メディアサイズ等から成る付帯情報と画像情報が送信され、該付帯情報と画像情報を受信した画像印刷装置は、付帯情報を解析して印刷を実施するためのパラメータを取得し、画像の印刷を実施する。
【０００４】
図６に画像撮影装置により撮影された画像情報を画像印刷装置により印刷を行う場合の装置構成の概略図を示す。
【０００５】
図中、１００は画像を撮影するための放射線画像撮影装置、１０１は超音波画像診断装置を示し、１０２は該放射線画像撮影装置及び超音波画像診断装置で撮影した画像を印刷するための画像印刷示す。１０３は各装置を接続するネットワークを示し、該ネットワークを通して画像印刷情報の送受信が行われる。
【０００６】
図７は図６に示す装置構成において送受信される画像印刷情報の内容を示す概略図である。
【０００７】
図中、１０４は画像撮影装置から画像印刷装置に送信される送信情報であり、該送信情報は画像撮影装置と画像印刷装置を論理的に接続するためのアソシエーション情報１０６と印刷する画像に関する画像印刷パラメータ１０９から構成される。アソシエーション情報１０６は、画像撮影装置を識別するための画像送信装置AEタイトル１０７、画像印刷装置を識別するための画像受信装置AEタイトル１０８、画像印刷装置のネットワーク上における位置を示すIPアドレスから構成され、画像印刷パラメータ１０９は印刷対象となる画像情報１１１と該画像に関する付帯情報であるDICOM TAG 情報１１０から構成される。
【０００８】
図９は図７に示す画像に関する付帯情報であるDICOM TAG 情報１１０の１例を示す図であり、該DICOM TAG 情報１１０は、図に示すように印刷媒体の種類を示す媒体タイプ、画像印刷時の印刷優先度を示すプリント優先度、媒体の印刷方向を示すフィルム方向、媒体のサイズを示すフィルムサイズID、印刷時の拡大方法を示す拡大タイプ、媒体が表現可能な濃度を示す最低濃度、最高濃度等の印刷媒体と印刷に関する条件を表す情報から構成される。
【０００９】
次に、図８を用いて図６に示す装置構成において、図７に示す送信情報１０４を送受信し、画像印刷装置１０２が画像の印刷を行う動作について説明する。
【００１０】
ステップＳ２００において、１００，１０１に示す画像撮影装置からの送信情報を画像印刷装置１０２が受信する。送信情報１０４の送受信は、アソシエーション情報１０５内のIPアドレス１０６を基に行われ、画像撮影装置１００，１０１は画像の印刷を行う画像印刷装置に付与されたIPアドレスに対して送信情報１０４を送信するようよう構成する。画像印刷装置１０２は、送信情報１０２を受信すると、ステップＳ２０１で送信情報内のアソシエーション情報１０５を解析し、画像受信装置AEタイトル１０８が画像印刷装置１０２に付与されたものと同一であるかを確認し、同一でない場合にはステップＳ２０２で画像撮影装置に接続エラーを通知して処理を終了する。
【００１１】
アソシエーション情報１０５内の画像受信装置AEタイトル１０８が画像印刷装置１０２に付与されたものと同一である場合には接続に成功したと判断し、ステップＳ２０３でDICOM TAG 情報１１０、画像情報１１１を受信する。次に、ステップＳ２０４でDICOM TAG 情報を解析し、印刷装置内の設定を変更後、ステップＳ２０５で画像の印刷処理を実行して処理を終了する。
【００１２】
前記従来例において画像印刷装置１０２に送信されるDICOM TAG 情報は、前記したように印刷媒体と印刷に関する条件を表す情報から構成されているが、送信情報を受信する画像印刷装置によってはDICOM TAG 情報に指定された印刷媒体への印刷ができない、或は指定された印刷条件で印刷ができない装置も存在する。このような場合、画像印刷装置は、指定された印刷媒体、印刷条件が認識できないとして画像撮影装置からの印刷要求に対してエラーを返していた。従って、画像印刷装置で正しく画像の印刷を行うために、画像撮影装置がDICOM TAG 情報を作成する際に印刷を実施する印刷装置に合わせて指定を変更する必要があった。
【００１３】
しかしながら、DICOM TAG 情報の変更箇所が制限される画像撮影装置も存在し、画像印刷装置が許容できないDICOM TAG 情報を変更することができず、印刷ができないことがあった。
【００１４】
上記問題の解決方法として、特許文献１に、指定された印刷装置で印刷可能な印刷条件に変換するための印刷条件変換テーブルを持ち、該テーブルに基づいて印刷条件を変更する印刷制御装置が提案されている。
【特許文献１】特開２００２−０５５７９２号公報
【発明の開示】
【発明が解決しようとする課題】
【００１５】
しかしながら、特許文献１においては画像印刷装置単位で印刷条件変換テーブルを保持する構成であるため、１台の画像印刷装置において複数の印刷媒体を許容し、且つ、それぞれの印刷媒体毎に許容可能な印刷条件が異なる場合、或は画像撮影装置の種類によって印刷条件が決まる場合に画像印刷装置と印刷条件変更テーブルが１対１の関係であるため、画像印刷装置が複数の印刷条件変更テーブルを切り替えて処理を行うことはできず、対応ができない。
【００１６】
そこで、本発明の目的は、画像撮影装置から画像印刷装置に送信される画像印刷のパラメータの内、画像印刷装置が認識できないパラメータを認識可能なパラメータに変換する画像印刷パラメータ変換方法において１台の画像印刷装置において複数の印刷媒体を許容し、且つ、それぞれの印刷媒体毎に許容可能な印刷条件が異なる場合においても印刷媒体毎に好適な印刷条件に変換することが可能な印刷パラメータ変換方法を提供することにある。
【課題を解決するための手段】
【００１７】
上記目的を達成するため、本発明に係る画像印刷パラメータ変換方法は、外部装置に接続され、該外部装置から画像情報と印刷条件を受け取って印刷を実行する印刷装置で認識可能な印刷条件の範囲を保持する印刷許容条件情報を保持すると共に印刷条件を前記印刷装置で印刷可能な印刷条件に変換するための印刷条件変換情報を複数保持し、外部装置から受け取った印刷条件を前記印刷条件変換情報を基に変換すると共に、変換後の印刷条件が前記印刷装置で認識可能な印刷条件の範囲外の場合に認識可能な印刷条件に変換することを特徴とする。
【発明の効果】
【００１８】
本発明によれば、画像撮影装置と画像印刷装置がネットワークを介して接続され、画像撮影装置から送信された画像印刷パラメータを含む送信情報を画像印刷装置が受信し、印刷を行う際の画像印刷パラメータ変換方法において、画像印刷装置が認識可能なパラメータの許容値テーブルと、画像撮影装置から送信された送信情報に含まれるID情報によって識別される複数の情報変換テーブルを保持し、該送信情報内ID情報を基に画像印刷装置内の情報変換テーブルを切り替えることによって送信情報内のDICOM TAG 情報を画像印刷装置によって認識可能な複数のDICOM TAG 情報の１つに変換する。
【００１９】
そして、変換後の値が印刷装置によって認識可能な範囲に存在するかを確認することによって、１台の画像印刷装置において複数の印刷メディアを許容し、且つ、それぞれの印刷媒体毎に許容可能な印刷条件が異なる場合であっても自動的に印刷に最適なパラメータに変更できる。
【００２０】
又、撮影装置から受信したDICOM TAG 情報が印刷装置で認識可能な範囲に存在しない場合であっても、ユーザ操作により値を印刷装置で認識可能な範囲に変更することで、撮影装置においてDICOM TAG 情報を印刷装置で認識可能な範囲に変更した後に画像撮影装置から情報再送信を行う必要がなく、画像撮影装置からの情報再送信処理に伴う印刷効率の低下を防ぐことが可能となる。
【発明を実施するための最良の形態】
【００２１】
以下に、本発明の実施の形態を添付の図面に基づいて詳細に説明する。
【００２２】
＜実施の形態１＞
図１は本発明の画像印刷パラメータ変換方法を適応した画像印刷装置の内部構成を示すブロック図である。
【００２３】
画像印刷装置１０２は、ＣＰＵ(Central Processing Unit) １１３、インターフェース１１４、記憶装置１１５、印刷装置の状態を表示するための情報表示ディスプレイ１１６、ユーザからのコマンド入力のためのキーボード１１７、印刷部１１８から構成され、各ブロックはＣＰＵ１１３により制御されている。インターフェース１１４にはネットワークを介して図６中１００，１０１で示す画像撮影装置が接続されている。記憶装置１１５には後述する許容値テーブル４及び情報変換テーブル２が格納されている。
【００２４】
許容値テーブル４は、図２に示すように、画像印刷装置が認識可能なDICOM TAG 情報の一覧と、それぞれのDICOM TAG 情報に対して認識可能な値の範囲、値の組み合わせが記録されている。
【００２５】
より詳細には、DICOM TAG 番号、TAG が指し示す情報内容、許容値の組み合わせから構成されており、DICOM TAG 番号“2000,0030 ”は情報内容が“媒体タイプ”であり、許容可能な値は“BLUE FILM ”、“PAPER ”、“COATED_PAPER”、“MATTE_PAPER ”、“GLOSSY_PAPER”であることを示している。
【００２６】
ここで、媒体タイプとは、印刷装置において印刷可能な印刷媒体の種類を示すものである。プリント優先度とは印刷の優先度を示し、複数の印刷画像を一旦メモリ等の記憶装置に保存してから印刷を行う装置の場合に印刷の順番を変更するために使用され、例えば救急等、緊急に画像の印刷が必要な場合に記憶装置内の印刷画像の印刷を中断して、優先度の高い画像を先に印刷する場合に使用する。
【００２７】
画像表示フォーマットは、１枚の用紙上に画像をどのように配置するかを指定するものでＣＴ、ＭＲＩ等、用紙を複数の領域に分割し、それぞれの領域に画像を配置し、複数の画像を１枚の用紙に印刷する場合に使用する。フィルム方向は用紙の印刷方向として縦位置、横位置を示し、フィルムサイズIDは印刷媒体のサイズを示す。又、拡大タイプとは印刷時に画像を拡大する必要がある場合にどのような方法で拡大を行うかを示す情報であり、最低濃度、最高濃度は媒体が表現可能な濃度を示す情報である。又、平滑タイプは画像拡大時の補間方法を示す情報である。
【００２８】
情報変換テーブル２は、図３に示すように、印刷媒体の種類、印刷媒体のサイズに合わせて２，５，６，７に示すように複数のテーブルが画像印刷装置内の記憶装置１１５に保持されており、画像受信装置AEタイトルに対応する対応AEタイトル８で識別可能となっている。対応ＡＥタイトル“COATED_PAPER”である変換テーブル５を例に構成を説明する。
【００２９】
情報変換テーブルはDICOM TAG 番号、TAG が指し示す情報内容、変換値の組み合わせから構成されており、DICOM TAG 番号“2000,0030 ”は情報内容が“媒体タイプ”であり、受信した値を“COATED_PAPER”に変換することを示している。媒体タイプとは印刷可能な用紙の種類であり、コート紙、マット紙、光沢紙等が存在し、それぞれの用紙種類に対してＩＤとして“COATED_PAPER”、“MATTE_PAPER ”、“GLOSSY_PAPER”が付与されている。
【００３０】
最低濃度、最高濃度は印刷用紙に印刷した画像の濃度を示し、該値を基に印刷時のインクの吐出量、吐出パターンが決定される。５に示す情報変換テーブルを使用することにより、撮影装置から送られた画像情報を常にコート紙に印刷することが可能となり、６に示す情報変換テーブルではマット紙、７に示す情報変換テーブルでは光沢紙に印刷することができる。又、２に示す情報変換テーブルでは前記５，６，７に示す内容に加えてフィルムサイズＩＤに示す情報が変更可能である。フィルムサイズＩＤは印刷用紙のサイズを示し、Ａ４を指定することで撮影装置から送られた画像印刷パラメータに指定されたサイズに関わらず常にＡ４サイズの用紙に印刷を行うことが可能となる。
【００３１】
図４は、図６に示す従来例で説明を行った画像撮影装置及び画像印刷装置の構成において画像撮影装置から画像受信装置AEタイトル１０８を“COATED_A4 ”と指定して送信された画像印刷パラメータを画像印刷装置で認識可能な情報に変換を行った場合の動作を表す概念図であり、画像撮影装置から送られたDICOM TAG 情報３が、画像印刷装置が保持する許容値テーブル４、情報変換テーブル２によって、変換済み送信情報１に変換されることを表している。
【００３２】
次に、図５を用いて受信情報を変換し印刷を行う動作について説明する。
【００３３】
ステップＳ１０１おいて、１００，１０１に示す画像撮影装置からの送信情報を画像印刷装置１０２が受信する。送信情報１０４の送受信は、アソシエーション情報１０５内のIPアドレス１０６を元に行われ、画像撮影装置１００，１０１は画像の印刷を行う画像印刷装置に付与されたIPアドレスに対して送信情報１０４を送信するようよう構成する。
【００３４】
画像印刷装置１０２は、送信情報１０２を受信すると、ステップＳ１０２で送信情報内のアソシエーション情報１０５を解析し、画像受信装置AEタイトル１０８が画像印刷装置１０２に付与されたものと同一であるかを確認し、同一でない場合にはステップＳ１０３において画像撮影装置に接続エラーを通知して処理を終了する。
【００３５】
アソシエーション情報１０５内の画像受信装置AEタイトル１０８が画像印刷装置１０２に付与されたものと同一である場合には接続に成功したと判断し、ステップＳ１０４においてDICOM TAG 情報１１０、画像情報１１１を受信する。本実施の形態においては、DICOM TAG 情報１１０の内容は図４、３に示すものである。
【００３６】
次に、ステップＳ１０５でDICOM TAG 情報の解析処理を行う。DICOM TAG 情報の解析処理においては、先ず、ステップＳ１０８において図１、２に示す印刷装置内の情報変換テーブルからステップＳ１０１で受信したアソシエーション情報１０５内の１０８で示す画像受信装置AEタイトル“COATED_A4 ”に対応する図３、５に示すテーブルを読み込む。
【００３７】
次に、ステップＳ１０９においてステップＳ１０４で受信したDICOM TAG 情報から１行読み込み、ステップＳ１１０において読み込んだDICOM TAG 情報に対応する情報を情報変換テーブル内から検索する。対応する情報が存在しない場合にはステップＳ１１２に進む。図４においては、DICOM TAG 情報の１行目“コピーの枚数”については情報変換テーブル内に存在しないため、ステップＳ１１２に進む。対応する情報が存在する場合、例えばDICOM TAG 情報の４行目“媒体タイプ”の場合にはステップＳ１１１において画像撮影装置から受信した値を情報変換テーブル内の値に変換し、ステップＳ１１２に進む。図４においては媒体タイプを“PAPER ”から“COATED_PAPER”に変換する。
【００３８】
次に、ステップＳ１１２においてステップＳ１０４で受信したDICOM TAG 情報全てを読み取ったかを検査し、全ての情報を読み取っていない場合にはステップＳ１０９以下を繰り返す。ステップＳ１１２の検査で全ての情報を読み込んだと判断した場合には、ステップＳ１１３において印刷装置内の許容値テーブル４を読み込み、ステップＳ１１４においてステップＳ１０４で受信したDICOM TAG 情報から１行読み込み、ステップＳ１１５において読み込んだDICOM TAG 情報に対応する情報を許容値テーブル内から検索する。
【００３９】
対応する情報が存在しない場合にはステップＳ１１７に進む。図４においては、DICOM TAG 情報の１行目“コピーの枚数”については容値テーブル内に存在しないため、ステップＳ１１７に進む。対応する情報が存在する場合、例えばDICOM TAG 情報の２行目“プリント優先度”の場合にはステップＳ１１６において値が認識可能な値の範囲、値の組み合わせであるかを確認する。認識可能な値の範囲でない、又は値の組み合わせの中に存在しない場合にはステップＳ１０３において接続エラーを通知して処理を終了する。
【００４０】
認識可能な値の範囲である、又は値の組み合わせの中に存在する場合にはステップＳ１１７に進む。DICOM TAG 情報の２行目“プリント優先度”の場合には設定値が“ＭＩＤ”であり許容値が“ＬＯＷ”、“ＭＩＤ”、“ＨＩＧＨ”であるので値の組み合わせの中に存在し、ステップＳ１１７に進む。ステップＳ１１７においてステップＳ１０４で受信したDICOM TAG 情報全てを読み取ったかを検査し、全ての情報を読み取っていない場合にはステップＳ１１４以下を繰り返す。
【００４１】
以上説明したDICOM TAG 解析処理が終了した後、変換されたDICOM TAG 情報を基に印刷装置内の設定を変更した後、ステップＳ１０７で画像の印刷処理を実行して処理を終了する。
【００４２】
図４、３で示すDICOM TAG 情報の場合には、上記変換処理によって、媒体タイプが“PAPER ”から“COATED_PAPER”に、フィルムサイズＩＤが“A5”から“A4”に、最低濃度、最高濃度がそれぞれ設定無しから“１２”、“１６０”に変換される。
【００４３】
以上説明した構成及び処理によれば、画像撮影装置と画像印刷装置がネットワークを介して接続され、画像撮影装置から送信された画像印刷パラメータを含む送信情報を画像印刷装置が受信し、印刷を行う際の画像印刷パラメータ変換方法において、画像印刷装置が認識可能なパラメータの許容値テーブルと、画像撮影装置から送信された送信情報に含まれるＩＤ情報によって識別される複数の情報変換テーブルを保持し、該送信情報内ＩＤ情報を元に画像印刷装置内の情報変換テーブルを切り替えることによって送信情報内のDICOM TAG 情報を画像印刷装置によって認識可能な複数のDICOM TAG 情報の１つに変換し、変換後の値が印刷装置によって認識可能な範囲に存在するかを確認するため、１台の画像印刷装置において複数の印刷メディアを許容し、且つ、それぞれの印刷媒体毎に許容可能な印刷条件が異なる場合であっても自動的に印刷に最適なパラメータに変更できる。
【００４４】
＜実施の形態２＞
前記実施の形態１においては、画像撮影装置から送信された画像印刷パラメータを含む送信情報内のDICOM TAG 情報を情報変換テーブルによって変換し、変換後の値が印刷装置によって認識可能な範囲であるかを許容値テーブル内の値によって検査し、認識可能な範囲に存在しない場合にエラーを通知して終了するよう構成しているが、エラーが発生した場合には、画像撮影装置において画像印刷装置が認識できないDICOM TAG 情報を変更後、変更した情報を再度画像印刷装置に送信する必要があり、同一情報を複数回送信することによる印刷効率の低下が生じる。
【００４５】
又、画像撮影装置においてDICOM TAG 情報を変更できない場合には、画像印刷装置が持つ変換テーブル、許容値テーブルを変更後、再度画像撮影装置から情報を送信する必要があり、印刷効率の低下が発生する。
【００４６】
このため、許容値テーブル内の値によるDICOM TAG 情報の検査時、認識可能な範囲に存在しない場合にユーザ操作によって認識可能な値に変換すると共に、情報変換テーブルを修正する手段を提供することによって画像印刷装置への情報の再送信処理を抑制し、印刷効率の低下を防ぐよう構成することも可能である。
【００４７】
図１０〜図１３を用い、前記実施の形態１と同一構成の画像印刷装置において、画像撮影装置から送信された画像印刷パラメータを含む送信情報内のDICOM TAG 情報を情報変換テーブルによって変換し、変換後の値が印刷装置によって認識可能な範囲であるかを許容値テーブル内の値によって検査した結果、認識可能な範囲に存在しない場合に、ユーザ操作によって図３に示す情報変換テーブルを修正する場合の動作について説明する。尚、図１３に示すフローチャートにおいては実施の形態１と同様の動作の場合には同一の符号を付与する。
【００４８】
図１０、１１９は本実施の形態において画像撮影装置から送信された画像印刷パラメータを含む送信情報内のDICOM TAG 情報を示しており、該情報では  “2010,0080 ”に示す平滑タイプの値が“５”となっており、図２、１０４に示す許容値テーブル内の値に存在せず、実施の形態１の動作ではエラーが通知され、画像撮影装置において平滑タイプの情報を印刷装置が認識可能な値に変更し、変更した情報を再度画像印刷装置に送信する必要が生ずる。このため、認識できない情報を受け取った場合に、ユーザに図１１、１２０に示すようなメッセージを表示し、値を変更すると共に、必要に応じて情報変換テーブル２を図１２に示すように更新することで、画像撮影装置側で値の変更を行う必要がなくなり、画像印刷装置への情報の再送信処理を抑制することが可能となる。
【００４９】
以上説明した受信した情報の変更と情報変換テーブルの更新処理の詳細について図１３を用いて説明する。
【００５０】
ステップＳ１０１おいて、１００，１０１に示す画像撮影装置からの送信情報を画像印刷装置１０２が受信する。送信情報１０４の送受信は、アソシエーション情報１０５内のIPアドレス１０６を基に行われ、画像撮影装置１００，１０１は画像の印刷を行う画像印刷装置に付与されたIPアドレスに対して送信情報１０４を送信するようよう構成する。画像印刷装置１０２は、送信情報１０２を受信すると、ステップＳ１０２で送信情報内のアソシエーション情報１０５を解析し、画像受信装置AEタイトル１０８が画像印刷装置１０２に付与されたものと同一であるかを確認し、同一でない場合にはステップＳ１０３において画像撮影装置に接続エラーを通知して処理を終了する。
【００５１】
アソシエーション情報１０５内の画像受信装置AEタイトル１０８が画像印刷装置１０２に付与されたものと同一である場合には接続に成功したと判断し、ステップＳ１０４においてDICOM TAG 情報１１０、画像情報１１１を受信する。本実施の形態においては、DICOM TAG 情報１１０の内容は図１０、１１９に示すものである。
【００５２】
次に、ステップＳ１０５でDICOM TAG 情報の解析処理を行う。DICOM TAG 情報の解析処理においては、先ずステップＳ１０８において図１、２に示す印刷装置内の情報変換テーブルからステップＳ１０１で受信したアソシエーション情報１０５内の１０８で示す画像受信装置AEタイトル“COATED_A4 ”に対応する図３、５に示すテーブルを読み込む。
【００５３】
次に、ステップＳ１０９においてステップＳ１０４で受信したDICOM TAG 情報から１行読み込み、ステップＳ１１０において読み込んだDICOM TAG 情報に対応する情報を情報変換テーブル内から検索する。対応する情報が存在しない場合にはステップＳ１１２に進む。
【００５４】
図４においては、DICOM TAG 情報の１行目“コピーの枚数”については情報変換テーブル内に存在しないため、ステップＳ１１２に進む。対応する情報が存在する場合、例えばDICOM TAG 情報の４行目“媒体タイプ”の場合にはステップＳ１１１において画像撮影装置から受信した値を情報変換テーブル内の値に変換し、ステップＳ１１２に進む。図４においては、媒体タイプを“PAPER ”から“COATED_PAPER”に変換する。
【００５５】
次に、ステップＳ１１２においてステップＳ１０４で受信したDICOM TAG 情報全てを読み取ったかを検査し、全ての情報を読み取っていない場合にはステップＳ１０９以下を繰り返す。ステップＳ１１２の検査で全ての情報を読み込んだと判断した場合には、ステップＳ１１３において印刷装置内の許容値テーブル４を読み込み、ステップＳ１１４においてステップＳ１０４で受信したDICOM TAG 情報から１行読み込み、ステップＳ１１５において読み込んだDICOM TAG 情報に対応する情報を許容値テーブル内から検索する。
【００５６】
対応する情報が存在しない場合にはステップＳ１１７に進む。図４においては、DICOM TAG 情報の１行目“コピーの枚数”については容値テーブル内に存在しないため、ステップＳ１１７に進む。対応する情報が存在する場合、例えばDICOM TAG 情報の２行目“プリント優先度”の場合にはステップＳ１１６において値が認識可能な値の範囲、値の組み合わせであるかを確認する。認識可能な値の範囲である、又は値の組み合わせの中に存在する場合にはステップＳ１１７に進む。
【００５７】
DICOM
TAG 情報の２行目“プリント優先度”の場合には設定値が“ＭＩＤ”であり、許容値が“ＬＯＷ”、“ＭＩＤ”、“ＨＩＧＨ”であるので値の組み合わせの中に存在し、ステップＳ１１７に進む。ステップＳ１１７においてステップＳ１０４で受信したDICOM TAG 情報全てを読み取ったかを検査し、全ての情報を読み取っていない場合にはステップＳ１１４以下を繰り返す。
【００５８】
ステップＳ１１６で、認識可能な値の範囲でない、又は値の組み合わせの中に存在しない場合には、ステップＳ１１８で変換テーブル更新処理を行う。DICOM TAG 情報の７行目“平滑タイプ”は設定値が“５”であり、許容値が“NORMAL”、“ENHANCED”、“ENHANCED1 ”であり、値の組み合わせの中に存在しないため、変換テーブル更新処理が行われる。
【００５９】
変換テーブル更新処理においては、先ずステップS １２０において図１１、１２０に示す値変換メッセージを表示し、ステップＳ１２１でユーザの処理選択を要求する。ユーザが選択可能な処理は、「エラー終了にする」、又は「変換可能な値を選択して値を変換する」の２種類である。ステップＳ１２１で、ユーザが「エラー終了にする」を選択した場合には、ステップＳ１１９において接続エラーを通知して処理を終了する。ユーザが「変換可能な値を選択して値を変換する」を選択した場合にはステップＳ１２３で図１１、１２１に示す変換テーブル更新メッセージを表示し、ステップＳ１２４でユーザの処理選択を要求する。
【００６０】
ユーザが選択可能な処理は、「変換テーブルを更新しない」、又は「変換テーブルを更新する」の２種類である。ステップＳ１２４でユーザが「変換テーブルを更新しない」を選択した場合には、ステップＳ１０５のDICOM TAG 情報の解析処理で使用した、図３、５に示す“COATED_A4 ”に対応する情報変換テーブルの更新を行わず、処理を終了する。ステップＳ１２４でユーザが「変換テーブルを更新する」を選択した場合には、ステップＳ１２６において、ステップＳ１０５のDICOM TAG 情報の解析処理で使用した、図３、５に示す“COATED_A4 ”に対応する情報変換テーブルに、ユーザがステップＳ１２１で選択した値を画像撮影装置から送信されたDICOM TAG 情報と共に追加し、テーブルを更新する。更新された情報変換テーブルを図１２に示す。
【００６１】
図１２、１２３においては“COATED_A4 ”に対応する情報変換テーブルにTAG 番号“010,0080”、TAG 内容“平滑タイプ”、変換値“NORMAL”が追加されている。ステップＳ１２６の情報変換テーブルの更新処理により、次回以降に画像印刷装置が受信したDICOM TAG 情報に“平滑タイプ”が存在した場合、ステップＳ１０５のDICOM TAG 情報の解析処理で値が“NORMAL”に変換されるため、ステップＳ１１６の判定では値が許容値テーブルの組み合わせの中に存在し、ステップＳ１１８に示すユーザによる値の変換処理が不要となり、処理が簡略化され、処理効率を向上させることができる。
【００６２】
以上説明した構成及び処理によれば、前記実施の形態１に示した効果に加えて、撮影装置から受信したDICOM TAG 情報が印刷装置で認識可能な範囲に存在しない場合であってもユーザの操作により値を変更することで画像撮影装置からの情報再送信処理に伴う印刷効率の低下を防ぐことが可能となる。
【００６３】
以上、本発明の好ましい実施の形態について説明したが、本発明はこれらの実施形態に限定されないことは言うまでもなく、その要旨の範囲内で種々の変形及び変更が可能である。
【図面の簡単な説明】
【００６４】
【図１】本発明の画像印刷パラメータ変換方法を適応した画像印刷装置の内部構成を示すブロック図である。
【図２】本発明の実施の形態に係る許容値テーブルである。
【図３】本発明の実施の形態に係る情報変換テーブルである。
【図４】本発明の実施の形態１に係る画像印刷装置が受信した画像印刷パラメータを変換する動作を表す概念図である。
【図５】本発明の実施の形態１に係る画像印刷装置が受信した画像印刷パラメータを印刷する動作を示すフローチャートである。
【図６】画像撮影装置により撮影された画像を画像印刷装置で印刷する場合の装置構成の概略図である。
【図７】画像撮影装置、画像印刷装置間で送受信される画像印刷情報内容の概略図である。
【図８】画像印刷装置の画像印刷動作を示すフローチャートである。
【図９】ＤＩＣＯＭ  ＴＡＧ情報の例を示す図である。
【図１０】本発明の実施の形態２に係る画像印刷装置が受信したＤＩＣＯＭ  ＴＡＧ情報を示す図である。
【図１１】本発明の実施の形態２に係るＤＩＣＯＭ  ＴＡＧ変換メッセージの例を示す図である。
【図１２】本発明の実施の形態２に係るユーザ操作によって更新された情報変換テーブルを示す図である。
【図１３】本発明の実施の形態２に係る画像印刷装置が受信した画像印刷パラメータを印刷する動作を示すフローチャートである。
【符号の説明】
【００６５】
１      ＤＩＣＯＭ  ＴＡＧ変換処理後のＤＩＣＯＭ  ＴＡＧ情報
２，５〜７  情報変換テーブル
３      画像印刷装置が受信したＤＩＣＯＭ  ＴＡＧ情報
４      許容値テーブル
１０２    画像印刷装置
１１２    ＤＩＣＯＭ  ＴＡＧ情報の１例
１１９    ＤＩＣＯＭ  ＴＡＧ情報
１２０    ＤＩＣＯＭ  ＴＡＧ変換メッセージ
１２１    情報変換テーブル更新メッセージ
１２３    変換テーブル更新処理後の情報変換テーブル
【図１】
2006346973.tif 000003
【図２】
2006346973.tif 000004
【図３】
2006346973.tif 000005
【図４】
2006346973.tif 000006
【図５】
2006346973.tif 000007
【図６】
2006346973.tif 000008
【図７】
2006346973.tif 000009
【図８】
2006346973.tif 000010
【図９】
2006346973.tif 000011
【図１０】
2006346973.tif 000012
【図１１】
2006346973.tif 000013
【図１２】
2006346973.tif 000014
【図１３】
2006346973.tif 000015